(57)【要約】【課題】  両開きタイプでありながら室外側から網戸の閉操作を容易に行うことができるロール網戸を提供する。【解決手段】  上枠５ａ、下枠５ｂ及び左右の縦枠５ｃ，５ｄからなる枠５と、各縦枠５ｃ，５ｄに設けられ網体７をバネ力により巻取り収納する巻取部８と、各巻取部８から引き出された網体７の端部に設けられると共に、上枠５ａと下枠５ｂに設けられたガイドレール９，１０に沿って上下端部が移動自在に支持された戸先框１１ａ，１１ｂと、両戸先框１１ａ，１１ｂの対向面に設けられ両戸先框を突き合わせた状態に磁力で保持する第１保持手段１２とを備え、前記下枠５ｂの中央部に、網戸閉鎖時に一方の戸先框の下端部を係止するラッチ機構２３を設けると共に、前記上枠５ａの中央部と戸先框の上端部との対向面に該上端部を磁力で保持する第２保持手段２４を設け、前記ラッチ機構２３は係止状態を解除する操作部２５ａ，２５ｂを有している。【選択図】          図２
2006002451.tif 000002
【特許請求の範囲】
【請求項１】
上枠、下枠及び左右の縦枠からなる枠と、各縦枠に設けられ網体をバネ力により巻取り収納する巻取部と、各巻取部から引き出された網体の端部に設けられると共に、上枠と下枠に設けられたガイドレールに沿って上下端部が移動自在に支持された戸先框と、両戸先框の対向面に設けられ両戸先框を突き合わせた状態に磁力で保持する第１保持手段とを備え、前記下枠の中央部に、網戸閉鎖時に一方の戸先框の下端部を係止するラッチ機構を設けると共に、前記上枠の中央部と戸先框の上端部との対向面に該上端部を磁力で保持する第２保持手段を設け、前記ラッチ機構は係止状態を解除する操作部を有していることを特徴とするロール網戸。
【請求項２】
上枠、下枠及び左右の縦枠からなる枠と、各縦枠に設けられ網体をバネ力により巻取り収納する巻取部と、各巻取部から引き出された網体の端部に設けられると共に、上枠と下枠に設けられたガイドレールに沿って上下端部が移動自在に支持された戸先框と、両戸先框の対向面に設けられ両戸先框を突き合わせた状態に磁力で保持する第１保持手段とを備え、前記下枠の中央部に、網戸閉鎖時に一方の戸先框の下端部を係止するラッチ機構を設けると共に、前記上枠の中央部と戸先框の上端部との対向面に該上端部を磁力で保持する第２保持手段を設け、前記ラッチ機構は係止状態を解除する操作部を有し、下枠の中央部と戸先框の下端部との対向面に該下端部を磁力で保持する第３保持手段を設けたことを特徴とするロール網戸。
【発明の詳細な説明】
【技術分野】
【０００１】
本発明は、ロール網戸に係り、特に両引きタイプのロール網戸の操作性を向上させたものに関する。
【背景技術】
【０００２】
ロール網戸としては、上枠、下枠及び左右の縦枠からなる枠と、各縦枠に設けられ網体をバネ力により巻取り収納する巻取部と、各巻取部から引き出された網体の端部に設けられると共に、上枠と下枠に設けられたガイドレールに沿って上下端部が移動自在に支持された戸先框と、両戸先框の対向面に設けられ両戸先框を突き合わせた状態に磁力で保持する保持手段とを備えた両引きタイプのロール網戸が知られている。なお、ロール網戸が記載された刊行物としては、例えば、特開２００４−８４３８９号公報がある。
【０００３】
【特許文献１】特開２００４−８４３８９号公報
【発明の開示】
【発明が解決しようとする課題】
【０００４】
ところで、両引きタイプのロール網戸においては、例えば引違いサッシの室内側に取付けて使用する場合、室内側で操作すること例えば左右の戸先框を両手で掴んで合掌させること（網戸を閉鎖すること）は容易であるが、室外側から網戸を閉める場合、サッシの障子が邪魔になり、両側の網戸の戸先框を掴んで合掌させることは非常に困難であった。これは、構造上、ロール網戸の網体には巻取部に巻取るために常にバネ力（バネによる巻き力）がかかっているため、戸先框同士を確実に吸着保持させずに戸先框から手を離すと自動的に収納されてしまうことが原因である。なお、室外側からロール網戸を閉める操作は、例えば室内からベランダ等の室外に出たときに必要となる。
【０００５】
そこで、本発明は、上記事情を考慮してなされたものであり、両開きタイプでありながら室外側から網戸の閉操作を容易に行うことができるロール網戸を提供することを目的とする。
【課題を解決するための手段】
【０００６】
本発明のうち、請求項１の発明は、上枠、下枠及び左右の縦枠からなる枠と、各縦枠に設けられ網体をバネ力により巻取り収納する巻取部と、各巻取部から引き出された網体の端部に設けられると共に、上枠と下枠に設けられたガイドレールに沿って上下端部が移動自在に支持された戸先框と、両戸先框の対向面に設けられ両戸先框を突き合わせた状態に磁力で保持する第１保持手段とを備え、前記下枠の中央部に、網戸閉鎖時に一方の戸先框の下端部を係止するラッチ機構を設けると共に、前記上枠の中央部と戸先框の上端部との対向面に該上端部を磁力で保持する第２保持手段を設け、前記ラッチ機構は係止状態を解除する操作部を有していることを特徴とする。
【０００７】
請求項２の発明は、上枠、下枠及び左右の縦枠からなる枠と、各縦枠に設けられ網体をバネ力により巻取り収納する巻取部と、各巻取部から引き出された網体の端部に設けられると共に、上枠と下枠に設けられたガイドレールに沿って上下端部が移動自在に支持された戸先框と、両戸先框の対向面に設けられ両戸先框を突き合わせた状態に磁力で保持する第１保持手段とを備え、前記下枠の中央部に、網戸閉鎖時に一方の戸先框の下端部を係止するラッチ機構を設けると共に、前記上枠の中央部と戸先框の上端部との対向面に該上端部を磁力で保持する第２保持手段を設け、前記ラッチ機構は係止状態を解除する操作部を有し、下枠の中央部と戸先框の下端部との対向面に該下端部を磁力で保持する第３保持手段を設けたことを特徴とする。
【発明の効果】
【０００８】
請求項１の発明によれば、上枠、下枠及び左右の縦枠からなる枠と、各縦枠に設けられ網体をバネ力により巻取り収納する巻取部と、各巻取部から引き出された網体の端部に設けられると共に、上枠と下枠に設けられたガイドレールに沿って上下端部が移動自在に支持された戸先框と、両戸先框の対向面に設けられ両戸先框を突き合わせた状態に磁力で保持する第１保持手段とを備え、前記下枠の中央部に、網戸閉鎖時に一方の戸先框の下端部を係止するラッチ機構を設けると共に、前記上枠の中央部と戸先框の上端部との対向面に該上端部を磁力で保持する第２保持手段を設け、前記ラッチ機構は係止状態を解除する操作部を有しているため、左右の戸先框が合掌する位置で、一方（片側）の戸先框が収納されないように機械的に保持することができ、室内外への出入りの際は出入りする側の網戸だけを操作すれば良く、室外側から網戸の閉操作を容易に行うことができる。
【０００９】
請求項２の発明によれば、上枠、下枠及び左右の縦枠からなる枠と、各縦枠に設けられ網体をバネ力により巻取り収納する巻取部と、各巻取部から引き出された網体の端部に設けられると共に、上枠と下枠に設けられたガイドレールに上下端部が移動自在に支持された戸先框と、両戸先框の対向面に設けられ両戸先框を突き合わせた状態に磁力で保持する第１保持手段とを備え、前記下枠の中央部に、網戸閉鎖時に一方の戸先框の下端部を係止するラッチ機構を設け、該ラッチ機構は係止状態を解除する操作部を有し、上枠と下枠に網戸閉鎖時にラッチ機構により係止される一方の戸先框の上下端部を磁力で保持する第２保持手段と第３保持手段を設けているため、室外側から網戸の閉操作を容易に行うことができ、また、上端部が第２保持手段により保持され、下端部がラッチ機構により係止されて垂直状態の戸先框がラッチ機構を解除した時に上端部を支点に傾斜したり、収納位置に戻ってしまうのを防止することができる。
【発明を実施するための最良の形態】
【００１０】
以下に、本発明を実施するための最良の形態について、添付図面を基に詳述する。図１は本発明の実施の形態であるロール網戸の縦断面図、図２は同ロール網戸の横断面図、図３はロール網戸の概略的正面図、図４の（ａ）は上枠の横断面図、（ｂ）は下枠の横断面図、図５は戸先框の上下端部に設けられる端部ピースの分解斜視図である。
【００１１】
これらの図において、１は横引きの両引きタイプのロール網戸で、実施例では引違いサッシ２の内側に取付けられている。引違いサッシ２は、例えばアルミ押出形材製の上枠３ａ、下枠３ｂ及び左右の縦枠３ｃ，３ｄからなるサッシ枠３内に内障子４ａと外障子４ｂを引違いにスライド開閉自在に設けて構成されている。このロール網戸１は、枠５の左右にロール式の網戸６ａ，６ｂを対称に備えている。
【００１２】
前記ロール網戸１は、例えばアルミ押出形材製の上枠５ａ、下枠５ｂ及び左右の縦枠５ｃ，５ｄからなる枠５と、各縦枠５ｃ，５ｄに設けられ網体７をバネ力により巻取り収納する巻取部８と、各巻取部８から引き出された網体７の端部に設けられると共に、上枠５ａと下枠５ｂに設けられたガイドレール９，１０に沿って上下端部がスライド移動自在に支持された戸先框１１ａ，１１ｂと、両戸先框１１ａ，１１ｂの対向面に設けられ両戸先框１１ａ，１１ｂを突き合わせた状態に磁力で保持する第１保持手段１２とを備えている。前記枠５は、実施例ではサッシ枠３の室内面にネジ止めにより取付けられている。
【００１３】
前記巻取部８は、網体７を巻取る巻取軸１３と、該巻取軸１３を回転可能に収容するケース１４と、巻取軸１３に巻取り方向の付勢力を付与する図示しないバネとから主に構成されている。ケース１４は各縦枠５ｃ，５ｄの内面にネジ止めにより取付けられている。ケース１４には網体７を引き出すためのスリット状の開口部１５が設けられている。
【００１４】
上枠５ａには横断面逆Ｕ字状で、その両側下縁部が相対向して接近して幅の狭いスリット９ａを形成した上部のガイドレール９が形成されている。下枠５ｂには横断面Ｕ字状で、その両側上縁部が相対向して接近して幅の狭いスリット１０ａを形成した下部のガイドレール１０が形成されている。上下のガイドレール９，１０内には網体７の上辺と下辺を案内する上下のインナーレール１６，１７がそれぞれ上下移動可能に収容されて設けられている。前記網体７の上辺と下辺には横断面方形ないし略円形の縁部１８，１８が長手方向に沿って設けられ、上下のインナーレール１６，１７にはその縁部１８，１８を長手方向に沿ってスライド可能に支持するガイド溝１６ａ，１７ａが設けられている。縁部１８は網体７と一体に屈曲し得る弾性材により形成されている。インナーレール１６，１７は、例えば合成樹脂製又はアルミ製の形材からなっている。
【００１５】
前記戸先框１１ａ，１１ｂは、例えばアルミ押出形材製であり、その長手方向の上端部と下端部には、前記上下のガイドレール９，１０に沿ってスライド可能に係合する横断面略Ｔ字状の係合部１９ａを有する端部ピース１９が設けられている。端部ピース１９は、図５に示すように、室内外方向にニ分割された分割片１９ｂ，１９ｃと、両分割片１９ｃ，１９ｂを取付けるために戸先框１１ａ，１１ｂの端部にネジ２０で固定された取付片２１と、該取付片２１に対して両分割片１９ｂ，１９ｃを固定するネジ２２とから構成されている。
【００１６】
前記第１保持手段１２は、例えば両戸先框１１ａ，１１ｂの対向面のうちの一方の面に設けられた磁石１２ａと、他方の面に設けられた磁性体（例えばステンレス板）１２ｂとからなる。磁石１２ａと磁性体１２ｂは、両戸先框１１ａ，１１ｂの対向面同士が閉鎖時に合掌状態に突き合わされて密着するように適宜複数組配設されていることが好ましい。戸先框１１ａ，１１ｂの室内面には上下方向に連続した突条部からなる把手部１１ｘが設けられ、戸先框１１ａ，１１ｂの室外面には上下方向に連続した凹溝部からなる把手部１１ｙが設けられている。
【００１７】
何れか一方の戸先框１１ａ又は１１ｂを網戸閉鎖時に枠５の中央部の位置で垂直状態に保持するために、前記下枠５ｂの中央部には、網戸閉鎖時に一方の戸先框１１ａ又は１１ｂの下端部を係止するラッチ機構２３が設けられると共に、前記上枠５ａの中央部と戸先框１１ａ又は１１ｂの上端部との対向面には、該上端部を磁力で保持する第２保持手段２４が設けられている。前記ラッチ機構２３は係止状態を解除するための操作部２５ａ，２５ｂを有している。一方の戸先框１１ａ又は１１ｂが枠５の中央部の閉鎖位置に保持されている状態において、ラッチ機構２３の係止状態を解除した時にバネ力により戸先框１１ａ又は１１ｂが上端の第２保持手段２４を支点に傾斜したり、或いは収納（巻取部側へ移動）されてしまうのを防止するために、下枠５ｂの中央部と戸先框１１ａ，１１ｂの下端部との対向面には該下端部を磁力で保持する第３保持手段２６が設けられている。
【００１８】
第２保持手段２４は、例えば上枠５ａの中央部と戸先框１１ａ，１１ｂの上端部との対向面のうちの一方の面（図示例では上枠側）に設けられた磁石２４ａと、他方の面（同、戸先框側）に設けられた磁性体（例えばステンレス板）２４ｂとからなる。第３保持手段２６は、例えば下枠５ｂの中央部と戸先框１１ａ，１１ｂの下端部との対向面のうちの一方の面（図示例では下枠側）に設けられた磁石２６ａと、他方の面（同、戸先框側）に設けられた磁性体（例えばステンレス板）２６ｂとからなる。磁石と磁性体の取付け面は実施例とは逆であっても良い。実施例では、例えば５図に示すように、磁性体２４ｂ，２６ｂが戸先框１１ａ，１１ｂの上下の端部ピース１９の室外面にネジ２２で取付けられている。
【００１９】
図６は下部ストッパーのラッチ機構を示す図で、（ａ）は右側の戸先框を係止した状態の図、（ｂ）は左側の戸先框を係止した状態の図、図７は下部ストッパーの内部構造図、図８は下部ストッパーの正面図、図９は上部ストッパーを示す図で、（ａ）は底面図、（ｂ）は正面図である。ラッチ機構２３、第２保持手段２４の磁石２４ａ、第３保持手段２６を磁石２６ａを上枠５ａや下枠５ｂに容易に取付けできるようにするために、上部ストッパー２７と、下部ストッパー２８とが用いられている。上部ストッパー２７は、図４の（ａ）ないし図９に示すように、例えば合成樹脂製の扁平なケース（本体）２７ａを備え、このケース２７ａの室内側正面部の中央に前記第２保持手段２４の磁石２４ａが埋め込んで設けられている。この上部ストッパー２７は、上枠５ａのガイドレール９よりも室外側の下面の長手方向中央部に左右一対のネジ２９で取付けられている。この場合、上部ストッパー２７は、ネジ２９を通すネジ孔３０を室内外方向に長い長穴とすることにより、位置調整が可能になっている。
【００２０】
下部ストッパー２８は、図４の（ｂ）、図６、図７ないし図８に示すように、例えば合成樹脂製の扁平なケース（本体）２８ａを備え、このケース２８ａの室内側正面部の中央に前記第３保持手段２６の磁石２６ａが埋め込んで設けられている。また、このケース２８ａ内には、ラッチ機構２３が組み込まれている。この下部ストッパー２８は、下枠５ｂのガイドレール１０よりも室外側の上面の長手方向中央部に左右一対のネジ３５で取付けられている。この場合、下部ストッパー２８は、ネジ３５を通すネジ孔３６を室内外方向に長い長穴とすることにより、位置調整が可能になっている。
【００２１】
ラッチ機構２３は、閉鎖時に通過した一方の戸先框１１をバネ力で巻取部８側の収納位置に勝手に戻らないように係止（保持）しておくための左右一対の係止部３１ａ，３１ｂと、各係止部３１ａ，３１ｂを揺動可能（回動可能）に支持するための左右一対の支軸３２ａ，３２ｂと、該支軸３２ａ，３２ｂを支点に両係止部３１ａ，３１ｂを室内側へ突出するように付勢する付勢部材（例えばバネ）３３とを備えている。
【００２２】
左右の係止部３１ａ，３１ｂのうち、右側の係止部３１ｂは左側の支軸３２ａに軸支され、左側の係止部３１ａは右側の支軸３２ｂに軸支されている。付勢部材３３のバネ力により右側の係止部３１ｂは右側の支軸３２ｂに当接してケース２８ａ内から室内側に突出した状態（待機位置）に保持され、左側の係止部３１ａは左側の支軸３２ａに当接してケース２８ａ内から室内側に突出した状態（待機位置）に保持されている。これら係止部３１ａ，３１ｂの突出した先端部の外側にはテーパー３４が設けられ、例えば右側の係止部３１ｂは、右側の戸先框１１ｂが右側から通過する際に引っ込んでその通過を許容し、通過後に付勢部材３３のバネ力で突出して右側の戸先框１１ｂの下端部を係止し、右側の戸先框１１ｂが巻取部８のバネ力で戻らないように保持するようになっている〔図６の（ａ）参照〕。また、左側の係止部３１ａは、右側の網戸６ｂの閉鎖時に右側の戸先框１１ｂがそれ以上左側に移動するのを阻止し、これにより、網戸の出し過ぎ（網体の出し過ぎ）を防止できるようになっている。左右の係止部３１ａ、３１ｂの先端部間の距離は、一方の戸先框１１ａ又は１１ｂの横幅の約１．５倍程度とされている。
【００２３】
前記右側の戸先框１１ｂの保持状態のときに、左側の戸先框１１ａを室内側からは勿論のこと、室外側からも容易に閉鎖することができる。また、この場合、左側の戸先框１１ａは、右側の戸先框１１ｂに当接することにより、左側の係止部３１ａを完全には通過することができないようになっており、左側の係止部３１ａは引っ込んだままとなって左側の戸先框１１ａを係止し得ないため、左側の係止部１１ａを室内側からは勿論のこと、室外側からも容易に開操作することができる。逆の場合は、図６の（ｂ）のようになる。
【００２４】
一方、操作部２５ａ，２５ｂは、各係止部３１ａ，３１ｂの反対側に延出して設けられ、例えば右側の係止部３１ｂの操作部２５ｂはケース２８の左側端に突出されており、左側の網戸６ｂが開状態のときに左側の操作部２５ｂを操作して右側の係止部３１ｂの係止状態を解除することができるようになっている。この解除状態で、右側の戸先框１１ｂは上下の第２、第３保持手段２４，２６により垂直状態に保持されているので、この解除状態を左手による操作部２５ｂの操作で保ちつつ、右手により右側の戸先框１１ｂを開操作することにより右側の網戸６ｂを容易に開けることができる。
【００２５】
以上の構成からなるロール網戸１において、例えば引違いサッシ２の左側の外障子４ｂが右側にスライド操作されて開放された状態とし、左右の網戸を閉める場合、先ず右側の網戸６ｂの戸先框１１ｂを手で左方向へ閉操作する。すると、その戸先框１１ｂは、下部ストッパー２８のラッチ機構２３の右側の係止部３１ｂを押し込みながら通過し、左側の係止部３１ａに当接して停止され、手を離すと右側の係止部３１ｂに係止されて保持される。また、その戸先框１１ｂの上端部が第２保持手段２４により保持されることにより、該戸先框１１ｂは垂直状態の閉鎖状態が維持される。
【００２６】
次に、左側の網戸６ａの戸先框１１ａを右方向へ閉操作し、この戸先框１１ａを右側の戸先框１１ｂに当接させて合掌させれば良い。左側の戸先框１１ａは右側の戸先框１１ｂに対して第１保持手段１２により吸着保持され、全閉の閉鎖状態が維持される。この全閉状態において、ベランダ等の室外に出て洗濯や物干し等の作業を行う場合、先ず左側の網戸６ａの戸先框１１ａを左方へ開操作して網戸を開き、室外へ出たら、再びその網戸の戸先框１１ａを閉操作して網戸を閉めれば良い。室外から室内に入る時も同様に左側の網戸の戸先框１１ａを開閉操作すれば良い。
【００２７】
一方、全閉状態のロール網戸１を全開にする場合、先ず左側の網戸の戸先框１１ａを左方向へ開操作した後、ラッチ機構２３の左側に露出した操作部２５ｂを一方の手で操作することにより右側の係止部３１ｂを引っ込めて右側の戸先框１１ｂの係止状態を解除し、該戸先框１１ｂを他方の手で右方向へ開操作すれば良い。
【００２８】
このように前記ロール網戸１によれば、左右の戸先框１１ａ，１１ｂが合掌する位置で片側の戸先框１１ａ又は１１ｂが収納されないように機械的に保持するようにしたので、室内外への出入りの際は出入りする側の網戸６ａ又は６ｂだけを操作すれば良く、外部側からの網戸操作が容易にできるようになる。また、左右何れか一方の戸先框１１ａ又は１１ｂを枠５の中央に保持することができるため、使い勝手が良い。更に、ラッチ機構２３が下枠５ｂだけ（下部だけ）に取付けられているため、操作性が良い。また、下部のラッチ機構２３と上部の第２保持手段２４により枠５の中央に垂直状態に保持された戸先框１１ａ又は１１ｂは、下部の第３保持手段２６によっても保持されているため、ラッチ機構２３による保持を解除操作した時に、戸先框が第２保持手段を支点に傾斜したり、或いは突然、戸先框１１ａ又は１１ｂが収納されてしまうようなことがなく、意匠性及び安全性の向上が図れる。
【００２９】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。例えば、第１保持手段、第２保持手段、第３保持手段は、磁石と磁性体の組合せに限定されず、例えば極性の異なる一組の磁石の組合せからなっていても良い。
【図面の簡単な説明】
【００３０】
【図１】本発明の実施の形態であるロール網戸の縦断面図である。
【図２】同ロール網戸の横断面図である。
【図３】ロール網戸の概略的正面図である。
【図４】（ａ）は上枠の横断面図、（ｂ）は下枠の横断面図である。
【図５】戸先框の上下端部に設けられる端部ピースの分解斜視図である。
【図６】下部ストッパーのラッチ機構を示す図で、（ａ）は右側の戸先框を係止した状態の図、（ｂ）は左側の戸先框を係止した状態の図である。
【図７】下部ストッパーの内部構造図である。
【図８】下部ストッパーの正面図である。
【図９】上部ストッパーを示す図で、（ａ）は底面図、（ｂ）は正面図である。
【符号の説明】
【００３１】
１  ロール網戸
２  引違いサッシ
５  枠
５ａ  上枠
５ｂ  下枠
５ｃ，５ｄ  縦枠
７  網体
８  巻取部
９，１０  ガイドレール
１１ａ，１１ｂ  戸先框
１２  第１保持手段
２３  ラッチ機構
２４  第２保持手段
２５ａ，２５ｂ  操作部
２６  第３保持手段
【図１】
2006002451.tif 000003
【図２】
2006002451.tif 000004
【図３】
2006002451.tif 000005
【図４】
2006002451.tif 000006
【図５】
2006002451.tif 000007
【図６】
2006002451.tif 000008
【図７】
2006002451.tif 000009
【図８】
2006002451.tif 000010
【図９】
2006002451.tif 000011